【手続補正書】
【提出日】平成20年8月23日(2008.8.23)
【手続補正１】
【補正対象書類名】特許請求の範囲
【補正対象項目名】請求項１
【補正方法】変更
【補正の内容】
【請求項１】
１以上で構成されるコンピュータ−１（以下、装置−１という）と１以上で構成されるコンピュータ−２（以下、装置−２という）と特開２００７−３３４９１６（以下、特許文献１という）に記載する本装置（以下、本装置という）によって構成されるネットワーク（以下、ネットワーク構成−１という）において、該装置−１と装置−２の両者のＣＰＵ（Central Processing Unit）を機能させるため、両者のＨＤＤ（Hard disk drive）などの記憶装置に入力されるプログラム情報であって、該装置−１のＨＤＤなどの記憶装置に第１手段から第３手段に至る３手段で構成されるプログラム情報として入力され、第１手段は、需要者と供給者がモノやサービスに関する取引を行うことを目的に、プログラム情報で構築された取引手段（以下、取引手段という）であって、需要者として取引を行うための、それぞれの顧客のコンピュータ（以下、装置−３という）と供給者として取引を行うための、それぞれの販売者などのコンピュータ（以下、装置−４という）を用いることによって、インターネットで形成されたネットワーク（以下、ネットワーク構成−２という）を介して該取引手段にアクセスし、該取引手段が提示する指示事項に従い、キーボードやマウスなどの入力装置を用いて取引情報を入力し、取引に係る契約を成立させる手段であって、第２手段は、前記取引手段における取引情報を記憶することを目的に、プログラム情報で構築された取引情報の記憶手段（以下、取引情報の記憶手段という）であって、同一の装置−１にプログラム情報として入力された手段であることを利用して、前記取引手段において、取引に係る契約の成立に関する情報の発生と同時に、該取引情報の記憶手段が該取引に係る契約の成立に関する情報をダイレクトに記憶する手段であって、第３手段は、前記取引情報の記憶手段に記憶されている取引情報のうち、取引係る契約の履行状況を確認することを目的に、プログラム情報で構築された取引情報の参照手段（以下、取引情報の参照手段という）であって、ネットワー構成−２を介して、記取引情報の記憶手段に記憶されている支払いに関する取引情報と各銀行などのコンピュータ（以下、装置−５という）に記憶されている決済情報を参照し取引の成立（終了）を確認する手段であって、該装置−２のＨＤＤなどの記憶装置に第４手段から第６手段に至る３手段で構成されるプログラム情報として入力され、第４手段は、前記取引情報の参照手段によって、取引成立（終了）の確認を受けて、顧客に通貨を発行することを目的に、プログラム情報で構築された通貨の発行手段（以下、通貨の発行手段という）であって、ネットワーク構成−１とネットワーク構成−２を介して、通貨を装置−３へ発行する手段であって、第５手段は、前記通貨の発行手段が顧客に発行した通貨に係る情報を管理することを目的に、プログラム情報構築された通貨の管理手段（以下、通貨の管理手段という）であって、該通貨の発行手段と通貨の管理手段が同一の装置−２にプログラム情報として入力された手段であることを利用して、該通貨の発行手段が該装置−３に通貨を発行すると同時に、発行された通貨に係る情報をダイレクトに入手し管理する手段であって、第６手段は、前記通貨の管理手段によって管���されている通貨に係る情報を本装置に移行させることを目的に、プログラム情報で構築された通貨の移行手段（以下、通貨の移行手段という）であって、該通貨の管理手段と通貨の移行手段が同一の装置−２にプログラム情報として入力された手段であることを利用して、該通貨の移行手段が通貨の管理手段で管理されている通貨に係る情報をダイレクトに入手して、ネットワーク構成−１を介し該通貨に係る情報を本装置に移行する手段であって、以上における全６手段を構成するプログラムによって、需要者がモノやサービスの提供を受けるため、代金として支払った「取引額」に対して、従来社会における現行通貨と特許文献１に記載する通貨（以下、通貨という）の交換レート（率）を１対１とする１００％以上の通貨を、ネットワーク構成−２を介在させ、該代金を支払った需要者である顧客に発行し、該ネットワーク構成−１を介し該通貨に係る情報を本装置へ移行することを特徴とするコンピュータプログラム。 
【手続補正２】
【補正対象書類名】明細書
【補正対象項目名】００１３
【補正方法】変更
【補正の内容】
【００１３】請求項−１は、１以上で構成される装置−１  2と１以上で構成される装置−２  3と本装置  4における、ネットワーク構成−１  1において、該装置−１  2と装置−２  3の両者のＣＰＵを機能させるため、両者のＨＤＤなどの記憶装置に入力されるプログラム情報であって、該装置−１  2のＨＤＤなどの記憶装置に第１手段から第３手段に至る３手段で構成されるプログラム情報として入力され、下段に列記する、第１手段  取引手段  2Ａ、第２手段  取引情報の記憶手段  2Ｂ、第３手段  取引情報の参照手段  2Ｃで構成され、該装置−２  3のＨＤＤなどの記憶装置に第４手段から第６手段に至る３手段で構成されるプログラム情報として入力され、下段に列記する、第４手段  通貨の発行手段  3Ｄ、第５手段  通貨の管理手段  3Ｅ、第６手段  通貨の移行手段  3Ｆで構成され、以上における全６手段を構成するプログラムによって、需要者がモノやサービスの提供を受けるため、代金として支払った「取引額」に対して、従来社会における現行通貨と特許文献１に記載する通貨の交換レート（率）を１対１とする１００％以上の通貨を、ネットワーク構成−２  5を介在させ、該代金を支払った需要者である顧客の装置−３  5Ａに発行し、該ネットワーク構成−１  1を介し該通貨に係る情報を本装置  4へ移行することを特徴とするコンピュータプログラムである。
【手続補正３】
【補正対象書類名】明細書
【補正対象項目名】００１４
【補正方法】変更
【補正の内容】
【００１４】それでは、各手段における機能を手段の順位に従って、図１に基づき以下に説明する。
【手続補正４】
【補正対象書類名】明細書
【補正対象項目名】００１５
【補正方法】変更
【補正の内容】
【００１５】第１手段  取引手段  2Ａについて需要者と供給者がモノやサービスに関する取引を行うことを目的に、プログラム情報で構築された取引手段  2Ａであって、需要者として取引を行うための、それぞれの顧客の装置−３  5Ａと供給者として取引を行うための、それぞれの販売者などの装置−４  5Ｂを用いることによって、ネットワーク構成−２  5を介して該取引手段  2Ａにアクセスし、該取引手段  2Ａが提示する指示事項に従い、キーボードやマウスなどの入力装置を用いて取引情報を入力し、取引に係る契約を成立させる手段である。
【手続補正５】
【補正対象書類名】明細書
【補正対象項目名】００１６
【補正方法】変更
【補正の内容】
【００１６】第２手段  取引情報の記憶手段  2Ｂについて前記取引手段  2Ａにおける取引情報を記憶することを目的に、プログラム情報で構築された取引情報の記憶手段  2Ｂであって、同一の装置−１  2にプログラム情報として入力された手段であることを利用して、前記取引手段  2Ａにおいて、取引に係る契約の成立に関する情報が発生すると同時に、該取引情報の記憶手段  2Ｂが該取引に係る契約の成立に関する情報をダイレクトに記憶する手段である。 
【手続補正６】
【補正対象書類名】明細書
【補正対象項目名】００１７
【補正方法】変更
【補正の内容】
【００１７】第３手段  取引情報の参照手段  2Ｃについて前記取引情報の記憶手段  2Ｂに記憶されている取引情報のうち、取引に係る契約の履行状況を確認することを目的に、プログラム情報で構築された取引情報の参照手段  2Ｃであって、ネットワーク構成−２  5を介して、前記取引情報の記憶手段  2Ｂに記憶されている支払いに関する取引情報と各銀行などの装置−５  5Ｃに記憶されている決済情報を参照し取引の成立（終了）を確認する手段である。
【手続補正７】
【補正対象書類名】明細書
【補正対象項目名】００１８
【補正方法】変更
【補正の内容】
【００１８】第４手段  通貨の発行手段  3Ｄについて前記取引情報の参照手段  2Ｃによって、取引の成立（終了）の確認を受けて、顧客に通貨を発行することを目的に、プログラム情報で構築された通貨の発行手段  3Ｄであって、ネットワーク構成−１  1とネットワーク構成−２  5を介して、通貨を装置−３  5Ａへ発行する手段である。
【手続補正８】
【補正対象書類名】明細書
【補正対象項目名】００１９
【補正方法】変更
【補正の内容】
【００１９】第５手段  通貨の管理手段  3Ｅについて前記通貨の発行手段  3Ｄが顧客に発行した通貨に係る情報を管理することを目的に、プログラム情報で構築された通貨の管理手段  3Ｅであって、該通貨の発行手段  3Ｄと通貨の管理手段  3Ｅが同一の装置−２  3にプログラム情報として入力された手段であることを利用して、該通貨の発行手段  3Ｄが該装置−３  5Ａに通貨を発行すると同時に、発行された通貨に係る情報をダイレクトに入手し管理する手段である。
【手続補正９】
【補正対象書類名】明細書
【補正対象項目名】００２０
【補正方法】変更
【補正の内容】
【００２０】第６の手段  通貨の移行手段  3Ｆについて前記通貨の管理手段  3Ｅによって管理されている通貨に係る情報を本装置  4に移行させることを目的に、プログラム情報で構築された通貨の移行手段  3Ｆであって、該通貨の管理手段  3Ｅと通貨の移行手段  3Ｆが同一の装置−２  3にプログラム情報として入力された手段であることを利用して、該通貨の移行手段  3Ｆが通貨の管理手段  3Ｅで管理されている通貨に係る情報をダイレクトに入手して、ネットワーク構成−１  1を介し該通貨に係る情報を本装置  4に移行する手段である。
【手続補正１０】
【補正対象書類名】明細書
【補正対象項目名】００２１
【補正方法】変更
【補正の内容】
【００２１】以上に記載する全６手段を構成するプログラムによって、需要者がモノやサービスの提供を受けるため、代金として支払った「取引額」に対する１００％以上の通貨を装置−３  5Ａに発行することで、通貨としての権利を付与し、更に通貨に係る情報を本装置  4へ移行することを特徴とするコンピュータプログラムである。
【手続補正１１】
【補正対象書類名】明細書
【補正対象項目名】００３０
【補正方法】変更
【補正の内容】
【００３０】第１手段  取引手段  2Ａについて、図４に基づき以下に詳細を説明する。
【手続補正１２】
【補正対象書類名】明細書
【補正対象項目名】００３４
【補正方法】変更
【補正の内容】
【００３４】第２手段  取引情報の記憶手段  2Ｂについて、図５に基づき以下に記載する。
【手続補正１３】
【補正対象書類名】明細書
【補正対象項目名】００３８
【補正方法】変更
【補正の内容】
【００３８】第３手段  取引情報の参照手段  2Ｃについて、同じく図５に基づき以下に記載する。
【手続補正１４】
【補正対象書類名】明細書
【補正対象項目名】００４１
【補正方法】変更
【補正の内容】
【００４１】第４手段  通貨の発行手段  3Ｄについて、図６及び図５に基づき以下に記載する。
【手続補正１５】
【補正対象書類名】明細書
【補正対象項目名】００４４
【補正方法】変更
【補正の内容】
【００４４】第５手段  通貨の管理手段  3Ｅについて、図６に基づき以下に記載する。
【手続補正１６】
【補正対象書類名】明細書
【補正対象項目名】００４５
【補正方法】変更
【補正の内容】
【００４５】通貨の管理手段  3Ｅは、ネットワーク構成−１  1に属する装置−２  3の図示されないＨＤＤなどの記憶装置に図示されないキーボードやマウスなどの入力装置によって入力されたプログラム情報であって、通貨の発行手段  3Ｄによって発行された通貨に係る情報を、人為的介入を排除したプログラムによってダイレクトに管理する手段である。
【手続補正１７】
【補正対象書類名】明細書
【補正対象項目名】００４７
【補正方法】変更
【補正の内容】
【００４７】第６手段  通貨の移行手段  3Ｆについて、図６に基づき以下に記載する。
【手続補正１８】
【補正対象書類名】明細書
【補正対象項目名】００４８
【補正方法】変更
【補正の内容】
【００４８】通貨の移行手段  3Ｆは、ネットワーク構成−１  1に属する装置−２  3の図示されないＨＤＤなどの記憶装置に図示されないキーボードやマウスなどの入力装置によって入力されたプログラム情報であって、通貨の管理手段  3Ｅによって管理されている通貨に係る情報を、人為的介入を排除したプログラムによって、ネットワーク−１  1を介して、本装置  4へ移行する手段である。
【手続補正１９】
【補正対象書類名】明細書
【補正対象項目名】００５３
【補正方法】変更
【補正の内容】
【００５３】
【図１】請求項１に記載する各手段におけるプログラムの系統図である。
【図２】請求項２に記載するネットワークを形成する装置の系統図である。
【図３】請求項３に記載するコンピュータの利用方法に関する稼働領域を示す図である。
【図４】請求項１に記載する第１手段取引手段に関する図である。
【図５】請求項１に記載する第２手段取引情報の記憶手段及び第３手段取引情報の参照手段に関する図である。
【図６】請求項１に記載する第４手段通貨の発行手段、第５手段通貨の管理手段及び第６手段通貨の移行手段に関する図である。
【手続補正２０】
【補正対象書類名】図面
【補正対象項目名】図１
【補正方法】変更
【補正の内容】
【図１】
2008090873.tif 000001
【手続補正２１】
【補正対象書類名】図面
【補正対象項目名】図４
【補正方法】変更
【補正の内容】
【図４】
2008090873.tif 000002
【手続補正２２】
【補正対象書類名】図面
【補正対象項目名】図５
【補正方法】変更
【補正の内容】
【図５】
2008090873.tif 000003
【手続補正２３】
【補正対象書類名】図面
【補正対象項目名】図６
【補正方法】変更
【補正の内容】
【図６】
2008090873.tif 000004